(57)【要約】【課題】  断裁機の不良出力を防止する画像形成装置を実現すること。【解決手段】  断裁機が読み取り可能なトンボマーク情報６１を、添付手段６３を用いて画像情報６０に指定された形状、大きさおよび位置で添付し、さらにトンボマークが添付された画像情報６０の印刷範囲が、ページメモリ６４の大きさである印刷出力範囲あるいは記録媒体サイズを超える際には警告を発し印刷の中止を行うこととしているので、断裁機でのトンボマークの読み取りミスを防止し断裁機からの記録媒体の不良出力を軽減し、印刷効率を向上することを実現させる。【選択図】        図１
2006027259.tif 000002
【特許請求の範囲】
【請求項１】
画像情報を入力する入力手段と、
断裁機に読み取られる断裁マークを採用する操作部と、
前記断裁マーク及び前記画像情報を記録媒体に印刷する画像形成部と、
前記画像形成部による印刷に先立ち、前記断裁マーク及び前記画像情報を含む印刷範囲が前記記録媒体に収まるかどうか判断する判断手段と、
を備えることを特徴とする画像形成装置。
【請求項２】
前記操作部は、複数種類の断裁マークから所望の断裁マークを選択することで、当該所望の断裁マークを採用することを特徴とする請求項１に記載の画像形成装置。
【請求項３】
前記断裁マークにＬ字型および十字型の形状のものを含むことを特徴する請求項２に記載の画像形成装置。
【請求項４】
前記印刷範囲は、前記断裁マーク及び前記画像情報により定まる印画範囲に、余白を与えた範囲である請求項１ないし３のいずれか１つに記載の画像形成装置。
【請求項５】
前記操作部は、前記印刷範囲が前記記録媒体の大きさを越える場合に、警告表示を行う表示部を備えることを特徴とする請求項１ないし４のいずれか１つに記載の画像形成装置。
【請求項６】
前記操作部は、前記印刷範囲が前記記録媒体の大きさを越える場合に、前記印刷を行うかどうかを指定する第１指定手段を備えることを特徴とする請求項１ないし５のいずれか１つに記載の画像形成装置。
【請求項７】
前記操作部は、前記断裁マークの大きさを指定する第２指定手段を備えることを特徴とする請求項１ないし６のいずれか１つに記載の画像形成装置。
【請求項８】
前記大きさに連動して前記余白の大きさを変更する変更手段を備えることを特徴とする請求項７に記載の画像形成装置。
【請求項９】
前記操作部は、前記断裁マーク付き画像情報の印刷を複数回行う際に、前記印刷を確認するための一回あるいは指定回数の印刷の後に、前記採用を再度行う再設定手段を備えることを特徴とする請求項１ないし８のいずれか１つに記載の画像形成装置。
【請求項１０】
前記操作部は、前記印刷範囲が前記記録媒体の大きさを越える場合に、断裁マークの形状、大きさ、位置の少なくとも一つを変更することにより前記印刷範囲を調整することを特徴とする請求項１ないし５のいずれか１つに記載の画像形成装置。
【請求項１１】
画像情報を入力する入力ステップと、
断裁機に読み取られる断裁マークを採用する採用ステップと、
前記断裁マーク及び前記画像情報を記録媒体に印刷する画像形成ステップと、
前記画像形成ステップに先立ち、前記断裁マーク及び前記画像情報を含む印刷範囲が前記記録媒体に収まるかどうか判断する判断ステップと、
を備えることを特徴とする画像形成方法。
【請求項１２】
前記採用ステップにおいて、複数種類の断裁マークから所望の断裁マークを選択することで、当該所望の断裁マークを採用することを特徴とする請求項１１に記載の画像形成方法。
【請求項１３】
前記断裁マークにＬ字型および十字型の形状のものを含むことを特徴する請求項１２に記載の画像形成方法。
【請求項１４】
前記印刷範囲は、前記断裁マーク及び前記画像情報により確定される印画範囲に、余白を与えた範囲である請求項１１ないし１３のいずれか１つに記載の画像形成方法。
【請求項１５】
前記印刷範囲が前記記録媒体の大きさを越える場合に、警告表示を行う表示ステップを更に備えることを特徴とする請求項１１ないし１４のいずれか１つに記載の画像形成方法。
【請求項１６】
前記印刷範囲が前記記録媒体の大きさを越える場合に、前記印刷を行うかどうかを指定する指定ステップを更に備えることを特徴とする請求項１１ないし１５のいずれか１つに記載の画像形成方法。
【請求項１７】
前記採用ステップにおいて、前記断裁マークの大きさを指定することを特徴とする請求項１１ないし１６のいずれか１つに記載の画像形成方法。
【請求項１８】
前記採用ステップにおいて、前記大きさに連動して余白の大きさを変更することを特徴とする請求項１７に記載の画像形成方法。
【請求項１９】
前記断裁マーク付き画像情報の印刷を複数回行う際に、前記印刷を確認するための一回あるいは指定回数の印刷の後に、前記採用ステップを再度行うことを特徴とする請求項１１ないし１８のいずれか１つに記載の画像形成方法。
【請求項２０】
前記印刷範囲が前記記録媒体の大きさを越える場合に、断裁マークの形状、大きさ、位置の少なくとも一つを変更することにより前記印刷範囲を調整する調整ステップを更に備えることを特徴とする請求項１ないし１５のいずれか１つに記載の画像形成方法。
【請求項２１】
画像情報を入力する入力手段と、
断裁機に読み取られる断裁マークを採用する操作部と、
前記断裁マーク及び前記画像情報を記録媒体に印刷する画像形成部と、
前記画像形成部による印刷に先立ち、前記断裁マーク及び前記画像情報を含む印刷範囲が前記記録媒体に収まるかどうか判断する判断手段と、
を備えることを特徴とする画像形成システム。
【請求項２２】
前記操作部は、複数種類の断裁マークから所望の断裁マークを選択することで、当該所望の断裁マークを採用することを特徴とする請求項２１に記載の画像形成装置。
【請求項２３】
前記操作部は、前記断裁マークにＬ字型および十字型の形状のものを含むことを特徴する請求項２２に記載の画像形成システム。
【請求項２４】
前記印刷範囲は、前記断裁マーク及び前記画像情報により定まる印画範囲に、余白を与えた範囲である請求項２１ないし２３のいずれか１つに記載の画像形成システム。
【請求項２５】
前記操作部は、前記印刷範囲が前記記録媒体の大きさを越える場合に、警告表示を行う表示部を備えることを特徴とする請求項２１ないし２４のいずれか１つに記載の画像形成システム。
【請求項２６】
前記操作部は、前記印刷範囲が前記記録媒体の大きさを越える場合に、前記印刷を行うかどうかを指定する第１指定手段を備えることを特徴とする請求項２１ないし２５のいずれか１つに記載の画像形成システム。
【請求項２７】
前記操作部は、前記断裁マークの大きさを指定する第２指定手段を備えることを特徴とする請求項２１ないし２６のいずれか１つに記載の画像形成システム。
【請求項２８】
前記大きさに連動して前記余白の大きさを変更する変更手段を備えることを特徴とする請求項２７に記載の画像形成システム。
【請求項２９】
前記操作部は、前記断裁マーク付き画像情報の印刷を複数回行う際に、前記印刷を確認するための一回あるいは指定回数の印刷の後に、前記採用を再度行う再設定手段を備えることを特徴とする請求項２１ないし２８のいずれか１つに記載の画像形成システム。
【請求項３０】
前記操作部は、前記印刷範囲が前記記録媒体の大きさを越える場合に、断裁マークの形状、大きさ、位置の少なくとも一つを変更することにより前記印刷範囲を調整することを特徴とする請求項２１ないし２５のいずれか１つに記載の画像形成システム。
【発明の詳細な説明】
【技術分野】
【０００１】
この発明は、画像情報に断裁マークを含んだ印刷を行う画像形成装置、方法、システムに関する。
【背景技術】
【０００２】
近年、業務用等の画像形成装置等では、印刷される画像情報に加え断裁位置が断裁マークとして記録媒体に印画されることがある。これにより、印刷後に行われる、断裁機による記録媒体の整形作業が容易になり、作業効率を向上することができる。
【０００３】
また、断裁機は、近年の画像認識技術の進歩により、記録媒体上の断裁マークを読み取り、この読み取り位置情報から記録媒体の断裁を自動的に行う。ここで、断裁機は、断裁マークの読み取りに際しては、断裁機固有の定型の断裁マークを読み取り、この読み取り位置に断裁を行う（例えば、特許文献１参照）。一方、断裁マークは、画像情報に組み込まれた状態で、ＰＣ等から画像情報とともに画像形成装置に入力される。
【０００４】
上記の技術とは別に、画像形成装置側において断裁マークを追加する技術が知られている（例えば、特許文献２参照）。特許文献２においては、断裁マークを画像形成装置側において記憶しておき、断裁マーク付き画像を記録媒体に記録するにあたり、画像を展開するメモリの容量を節約するために、断裁マークを画像余白部に付与してメモリに展開するのではなく、余白部に対応する領域においてレーザドライバの駆動を制御することで感光体上に断裁マーク付き画像の潜像を形成する技術が教示されている。
【特許文献１】特開２００２―２９２８３１号公報、（第１頁、図１）
【特許文献２】特開平１１−１４６１６４号公報
【発明の開示】
【発明が解決しようとする課題】
【０００５】
しかしながら、上記の特許文献１によれば、断裁機による記録媒体の断裁の際に、断裁ミスが生じる。すなわち、断裁機で読み取り可能な断裁マークと、ＰＣ等から読み込まれる画像情報に添付される断裁マークの不一致等により断裁機で読み取りミスが生じる。
【０００６】
特に、断裁機で読み取りミスが生じる場合には、断裁位置が目的とする位置と異なる記録媒体の不良出力が生じる。この不良出力は、記録媒体の浪費および印刷の効率を低下させるばかりか、断裁マークが画像形成装置に入力される画像情報に含まれたものであるので、変更が容易でなく、不良出力の改善に工数を費やす要因となっている。
【０００７】
上記の特許文献２によれば、所謂ページメモリの容量を低減可能であるものの、多様な断裁機に対応可能であるものではない。
また、上述の課題とは別に、上記の特許文献１及び特許文献２の何れにおいても、断裁マーク付き画像を印刷するには元々の画像情報のサイズより大きな印刷範囲が必要となり、この印刷範囲が記録媒体のサイズを超える虞があり、この場合、記録媒体に断裁マークが印刷されず、断裁機で所望の断裁を行うことができない結果を招く。
【０００８】
これらのことから、断裁機による断裁不良を未然に防止する画像形成装置、方法ないしはシステムを如何に実現するかが重要となる。
この発明は、上述した背景技術による課題を解決するためになされたものであり、断裁機による断裁不良を未然に防止できる印刷出力が可能な画像形成装置、方法、システムを提供することを目的とする。
【課題を解決するための手段】
【０００９】
上述した課題を解決し、目的を達成するために、請求項１に記載の発明にかかる画像形成装置は、画像情報を入力する入力手段と、断裁機に読み取られる断裁マークを採用する操作部と、前記断裁マーク及び前記画像情報を記録媒体に印刷する画像形成部と、前記画像形成部による印刷に先立ち、前記断裁マーク及び前記画像情報を含む印刷範囲が前記記録媒体に収まるかどうか判断する判断手段と、を備えることを特徴とする。
【００１０】
この請求項１に記載の発明では、操作部により断裁機に読み取られる断裁マークが採用され、画像形成部による印刷に先立ち、判断手段により前記断裁マーク及び前記画像情報を含む印刷範囲が前記記録媒体に収まるかどうか判断される。
【００１１】
また、請求項２に記載の発明に係る画像形成装置は、前記操作部は、複数種類の断裁マークから所望の断裁マークを選択することで、当該所望の断裁マークを採用することを特徴とする。
【００１２】
この請求項２に記載の発明では、複数種類の断裁マークのうち所望のものを選択することで当該所望の断裁マークを採用する。
また、請求項３に記載の発明にかかる画像形成装置は、前記断裁マークにＬ字型および十字型の形状のものを含むことを特徴する。
【００１３】
この請求項３に記載の発明では、断裁マークにＬ字型および十字型の形状のものを含ませる。
また、請求項４に記載の発明にかかる画像形成装置は、前記印刷範囲は、前記断裁マーク及び前記画像情報により定まる印画範囲に、余白を与えた範囲であることを特徴とする。
【００１４】
この請求項４に記載の発明では、周辺に余白を含む範囲が印画範囲とされる。
また、請求項５に記載の発明にかかる画像形成装置は、前記操作部が、前記印刷範囲が前記記録媒体の大きさを越える場合に、警告表示を行う表示部を備えることを特徴とする。
【００１５】
この請求項５に記載の発明では、操作部は、前記印画範囲が、記録媒体の大きさを越える場合に、警告表示を行う。
また、請求項６に記載の発明にかかる画像形成装置は、前記操作部が、前記印刷範囲が前記記録媒体の大きさを越える場合に、前記印刷を行うかどうかを指定する第１指定手段を備えることを特徴とする。
【００１６】
この請求項６に記載の発明では、操作部が、第１指定手段により、印画範囲が記録媒体の大きさを越える場合に、印刷を行うかどうかを指定する。
また、請求項７に記載の発明にかかる画像形成装置は、前記操作部が、前記断裁マークの大きさを指定する第２指定手段を備えることを特徴とする。
【００１７】
この請求項７に記載の発明では、操作部は、第２指定手段により、断裁マークの大きさを指定する。
また、請求項８に記載の発明にかかる画像形成装置は、前記大きさに連動して前記余白の大きさを変更する変更手段を備えることを特徴とする。
【００１８】
この請求項８に記載の発明では、変更手段により、大きさに連動して余白の大きさを変更する。
また、請求項９に記載の発明にかかる画像形成装置は、前記操作部が、前記断裁マーク付き画像情報の印刷を複数回行う際に、前記印刷を確認するための一回あるいは指定回数の印刷の後に、前記採用を再度行う再設定手段を備えることを特徴とする。
【００１９】
この請求項９に記載の発明では、操作部は、再設定手段により、印刷を確認するための一回あるいは指定回数の印刷の後に、断裁マークの採用を再度行う。
請求項１０に記載の発明に係る画像形成装置は、前記操作部が、前記印刷範囲が前記記録媒体の大きさを越える場合に、断裁マークの形状、大きさ、位置の少なくとも一つを変更することにより前記印刷範囲を調整することを特徴とする。
【００２０】
この請求項１０に記載の発明では、前記操作部は、前記印刷範囲が前記記録媒体の大きさを越える場合に、断裁マークの形状、大きさ、位置の少なくとも一つを変更することにより前記印刷範囲を調整する。
【００２１】
請求項１１に記載の発明に係る画像形成方法は、画像情報を入力する入力ステップと、断裁機に読み取られる断裁マークを採用する採用ステップと、前記断裁マーク及び前記画像情報を記録媒体に印刷する画像形成ステップと、前記画像形成ステップに先立ち、前記断裁マーク及び前記画像情報を含む印刷範囲が前記記録媒体に収まるかどうか判断する判断ステップと、を備えることを特徴とする。
【００２２】
この請求項１１に記載の発明では、採用ステップにより断裁機に読み取られる断裁マークが採用され、画像形成ステップによる印刷に先立ち、判断ステップにより前記断裁マーク及び前記画像情報を含む印刷範囲が前記記録媒体に収まるかどうか判断される。
【００２３】
また、請求項１２に記載の発明に係る画像形成方法は、前記採用ステップにおいて、複数種類の断裁マークから所望の断裁マークを選択することで、当該所望の断裁マークを採用することを特徴とする。
【００２４】
この請求項１２に記載の発明では、複数種類の断裁マークを含ませ、これらのうち所望のものを選択することで当該所望の断裁マークを採用する。
請求項１３に記載の発明に係る画像形成方法は、前記断裁マークにＬ字型および十字型の形状のものを含むことを特徴する。
【００２５】
この請求項１３に記載の発明では、断裁マークにＬ字型および十字型の形状のものを含ませる。
請求項１４に記載の発明に係る画像形成方法は、前記印刷範囲は、前記断裁マーク及び前記画像情報により確定される印画範囲に、余白を与えた範囲であることを特徴とする。
【００２６】
この請求項１４に記載の発明では、周辺に余白を含む範囲が印画範囲とされる。
請求項１５に記載の発明に係る画像形成方法は、前記印刷範囲が前記記録媒体の大きさを越える場合に、警告表示を行う表示ステップを更に備えることを特徴とする。
【００２７】
この請求項１５に記載の発明では、表示ステップは、前記印画範囲が、記録媒体の大きさを越える場合に、警告表示を行う。
請求項１６に記載の発明に係る画像形成方法は、前記印刷範囲が前記記録媒体の大きさを越える場合に、前記印刷を行うかどうかを指定する指定ステップを更に備えることを特徴とする。
【００２８】
この請求項１６に記載の発明では、指定ステップにより、印画範囲が記録媒体の大きさを越える場合に、印刷を行うかどうかを指定する。
請求項１７に記載の発明に係る画像形成方法は、前記採用ステップにおいて、前記断裁マークの大きさを指定することを特徴とする。
【００２９】
この請求項１７に記載の発明では、採用ステップは、断裁マークの大きさを指定する。
請求項１８に記載の発明に係る画像形成方法は、前記採用ステップにおいて、前記大きさに連動して余白の大きさを変更することを特徴とする。
【００３０】
この請求項１８に記載の発明では、採用ステップは、大きさに連動して余白の大きさを変更する。
請求項１９に記載の発明に係る画像形成方法は、前記断裁マーク付き画像情報の印刷を複数回行う際に、前記印刷を確認するための一回あるいは指定回数の印刷の後に、前記採用ステップを再度行うことを特徴とする。
【００３１】
この請求項１９に記載の発明では、印刷を確認するための一回あるいは指定回数の印刷の後に、断裁マークの採用を再度行う。
請求項２０に記載の発明に係る画像形成方法は、前記印刷範囲が前記記録媒体の大きさを越える場合に、断裁マークの形状、大きさ、位置の少なくとも一つを変更することにより前記印刷範囲を調整する調整ステップを更に備えることを特徴とする。
【００３２】
この請求項２０に記載の発明では、調整ステップにより、前記印刷範囲が前記記録媒体の大きさを越える場合に、断裁マークの形状、大きさ、位置の少なくとも一つを変更することにより前記印刷範囲を調整する。
【００３３】
請求項２１に記載の発明にかかる画像形成システムは、画像情報を入力する入力手段と、断裁機に読み取られる断裁マークを採用する操作部と、前記断裁マーク及び前記画像情報を記録媒体に印刷する画像形成部と、前記画像形成部による印刷に先立ち、前記断裁マーク及び前記画像情報を含む印刷範囲が前記記録媒体に収まるかどうか判断する判断手段と、を備えることを特徴とする。
【００３４】
この請求項２１に記載の発明では、操作部により断裁機に読み取られる断裁マークが採用され、画像形成部による印刷に先立ち、判断手段により前記断裁マーク及び前記画像情報を含む印刷範囲が前記記録媒体に収まるかどうか判断される。
【００３５】
また、請求項２２に記載の発明に係る画像形成システムは、前記操作部は、複数種類の断裁マークから所望の断裁マークを選択することで、当該所望の断裁マークを採用することを特徴とする。
【００３６】
この請求項２２に記載の発明では、複数種類の断裁マークを含ませ、操作部により、これらのうち所望のものを選択することで当該所望の断裁マークを採用する。
また、請求項２３に記載の発明にかかる画像形成システムは、前記操作部が、前記断裁マークにＬ字型および十字型の形状のものを含むことを特徴する。
【００３７】
この請求項２３に記載の発明では、断裁マークにＬ字型および十字型の形状のものを含ませる。
また、請求項２４に記載の発明にかかる画像形成システムは、前記印刷範囲は、前記断裁マーク及び前記画像情報により定まる印画範囲に、余白を与えた範囲であることを特徴とする。
【００３８】
この請求項２４に記載の発明では、周辺に余白を含む範囲が印画範囲とされる。
また、請求項２５に記載の発明にかかる画像形成システムは、前記操作部が、前記印刷範囲が前記記録媒体の大きさを越える場合に、警告表示を行う表示部を備えることを特徴とする。
【００３９】
この請求項２５に記載の発明では、前記操作部は、前記印画範囲が、記録媒体の大きさを越える場合に、警告表示を行う。
また、請求項２６に記載の発明にかかる画像形成システムは、前記操作部が、前記印刷範囲が前記記録媒体の大きさを越える場合に、前記印刷を行うかどうかを指定する第１指定手段を備えることを特徴とする。
【００４０】
この請求項２６に記載の発明では、操作部が、第１指定手段により、周辺に余白を含む印画範囲が記録媒体の大きさを越える場合に、印刷を行うかどうかを指定する。
また、請求項２７に記載の発明にかかる画像形成システムは、前記操作部が、前記断裁マークの大きさを指定する第２指定手段を備えることを特徴とする。
【００４１】
この請求項２７に記載の発明では、操作部は、第２指定手段により、断裁マークの大きさを指定する。
また、請求項２８に記載の発明にかかる画像形成システムは、前記大きさに連動して前記余白の大きさを変更する変更手段を備えることを特徴とする。
【００４２】
この請求項２８に記載の発明では、変更手段により、大きさに連動して余白の大きさを変更する。
また、請求項２９に記載の発明にかかる画像形成システムは、前記操作部が、前記断裁マーク付き画像情報の印刷を複数回行う際に、前記印刷を確認するための一回あるいは指定回数の印刷の後に、前記採用を再度行う再設定手段を備えることを特徴とする。
【００４３】
この請求項２９に記載の発明では、操作部は、再設定手段により、印刷を確認するための一回あるいは指定回数の印刷の後に、断裁マークの採用を再度行う。
請求項３０に記載の発明に係る画像形成システムは、前記操作部が、前記印刷範囲が前記記録媒体の大きさを越える場合に、断裁マークの形状、大きさ、位置の少なくとも一つを変更することにより前記印刷範囲を調整することを特徴とする。
【００４４】
この請求項３０に記載の発明では、前記操作部は、前記印刷範囲が前記記録媒体の大きさを越える場合に、断裁マークの形状、大きさ、位置の少なくとも一つを変更することにより前記印刷範囲を調整する。
【発明の効果】
【００４５】
以上説明したように、請求項１に記載の発明によれば、操作部により断裁機に読み取られる断裁マークが採用され、画像形成部による印刷に先立ち、判断手段により前記断裁マーク及び前記画像情報を含む印刷範囲が前記記録媒体に収まるかどうか判断されることとしているので、断裁機による断裁不良を未然に防止できる印刷出力が可能な画像形成装置を提供することができ、ひいては印刷効率の向上を図ることができる。
【００４６】
請求項２に記載の発明によれば、複数種類の断裁マークのうち所望のものを選択することで当該所望の断裁マークを採用することとしているので、多様な断裁機において断裁不良を未然に防止できる印刷出力が可能となる。
【００４７】
請求項３に記載の発明によれば、断裁マークにＬ字型および十字型の形状のものを含ませることとしているので、主要な断裁機の読み取りに用いられる断裁マークを添付することができる。
【００４８】
請求項４に記載の発明によれば、周辺に余白を含む範囲を印画範囲としているので、記録媒体の不良印刷出力を確実に防止することができる。
請求項５に記載の発明によれば、操作部は、印画範囲が記録媒体の大きさを越える場合に、警告表示を行うこととしているので、オペレータは、記録媒体の不良印刷出力の可能性を事前に認知することができる。
【００４９】
請求項６に記載の発明によれば、操作部が、第１指定手段により、周辺に余白を含む印画範囲が記録媒体の大きさを越える場合に、印刷を行うかどうかを指定することとしているので、オペレータは、断裁機による断裁不良が生じる虞のある印刷出力を意識的に行うことができる。
【００５０】
請求項７に記載の発明によれば、操作部は、第２指定手段により、断裁マークの大きさを指定することとしているので、断裁機の読み取りミスを、より少ないものとすることができる印刷出力が可能となる。
【００５１】
請求項８に記載の発明によれば、変更手段により、断裁マークの大きさに連動して余白の大きさを変更することとしているので、過度の添付作業の中止、警告表示および印刷を行うかどうかの指定を防止することができる。
【００５２】
請求項９に記載の発明によれば、操作部は、再設定手段により、印刷を確認するための一回あるいは指定回数の印刷の後に、断裁マークの採用を再度行うこととしているので、採用ミスによる無駄な印刷を防止することができる。
【００５３】
請求項１０に記載の発明によれば、前記操作部は、前記印刷範囲が前記記録媒体の大きさを越える場合に、断裁マークの形状、大きさ、位置の少なくとも一つを変更することにより前記印刷範囲を調整することとしたので、断裁マーク付き画像情報をより確実に記録媒体に印刷することができる。
【００５４】
請求項１１に記載の発明によれば、選択ステップにより断裁機に読み取られる断裁マークが採用され、画像形成ステップによる印刷に先立ち、判断ステップにより前記断裁マーク及び前記画像情報を含む印刷範囲が前記記録媒体に収まるかどうか判断されることとしているので、断裁機による断裁不良を未然に防止できる印刷出力が可能な画像形成装置を提供することができ、ひいては印刷効率の向上を図ることができる。
【００５５】
請求項１１に記載の発明によれば、複数種類の断裁マークを含ませ、これらのうち所望のものを選択することで、当該所望の断裁マークを採用することができる。
請求項１２に記載の発明によれば、複数種類の断裁マークのうち所望のものを選択することで当該所望の断裁マークを採用することとしているので、多様な断裁機において断裁不良を未然に防止できる印刷出力が可能となる。
【００５６】
請求項１３に記載の発明によれば、断裁マークにＬ字型および十字型の形状のものを含ませることとしているので、主要な断裁機の読み取りに用いられる断裁マークを添付することができる。
【００５７】
請求項１４に記載の発明によれば、周辺に余白を含む範囲を印画範囲としているので、記録媒体の不良印刷出力を確実に防止することができる。
請求項１５に記載の発明によれば、表示ステップは、前記印画範囲が、記録媒体の大きさを越える場合に、警告表示を行うこととしているので、オペレータは、記録媒体の不良印刷出力の可能性を事前に認知することができる。
【００５８】
請求項１６に記載の発明によれば、指定ステップにより、印画範囲が記録媒体の大きさを越える場合に、印刷を行うかどうかを指定することとしているので、オペレータは、断裁機による断裁不良が生じる虞のある印刷出力を意識的に行うことができる。
【００５９】
請求項１７に記載の発明によれば、採用ステップは、断裁マークの大きさを指定することとしているので、断裁機の読み取りミスを、より少ないものとすることができる印刷出力が可能となる。
【００６０】
請求項１８に記載の発明によれば、採用ステップは、大きさに連動して余白の大きさを変更することとしているので、過度の添付作業の中止、警告表示および印刷を行うかどうかの指定を防止することができる。
【００６１】
請求項１９に記載の発明によれば、印刷を確認するための一回あるいは指定回数の印刷の後に、断裁マークの採用を再度行うこととしているので、採用ミスによる無駄な印刷を防止することができる。
【００６２】
請求項２０に記載の発明によれば、調整ステップにより、前記印刷範囲が前記記録媒体の大きさを越える場合に、断裁マークの形状、大きさ、位置の少なくとも一つを変更することにより前記印刷範囲を調整することとしたので、断裁マーク付き画像情報をより確実に記録媒体に印刷することができる。
【００６３】
請求項２１に記載の発明によれば、操作部により断裁機に読み取られる断裁マークが採用され、画像形成部による印刷に先立ち、判断手段により前記断裁マーク及び前記画像情報を含む印刷範囲が前記記録媒体に収まるかどうか判断されることとしているので、断裁機による断裁不良を未然に防止できる印刷出力が可能な画像形成システムを提供することができ、ひいては印刷効率の向上を図ることができる。
【００６４】
請求項２２に記載の発明によれば、複数種類の断裁マークのうち所望のものを選択することで当該所望の断裁マークを採用することとしているので、多様な断裁機において断裁不良を未然に防止できる印刷出力が可能となる。
【００６５】
請求項２３に記載の発明によれば、断裁マークにＬ字型および十字型の形状のものを含ませることとしているので、主要な断裁機の読み取りに用いられる断裁マークを添付することができる。
【００６６】
請求項２４に記載の発明によれば、周辺に余白を含む範囲を印画範囲としているので、記録媒体の不良印刷出力を確実に防止することができる。
請求項２５に記載の発明によれば、操作部は、印画範囲が記録媒体の大きさを越える場合に、警告表示を行うこととしているので、オペレータは、記録媒体の不良印刷出力の可能性を事前に認知することができる。
【００６７】
請求項２６に記載の発明によれば、操作部が、第１指定手段により、印画範囲が記録媒体の大きさを越える場合に、印刷を行うかどうかを指定することとしているので、オペレータは、断裁機による断裁不良が生じる虞のある印刷出力を意識的に行うことができる。
【００６８】
請求項２７に記載の発明によれば、操作部は、第２指定手段により、断裁マークの大きさを指定することとしているので、断裁機の読み取りミスを、より少ないものとすることができる印刷出力が可能となる。
【００６９】
請求項２８に記載の発明によれば、変更手段により、断裁マークの大きさに連動して余白の大きさを変更することとしているので、過度の添付作業の中止、警告表示および印刷を行うかどうかの指定を防止することができる。
【００７０】
請求項２９に記載の発明によれば、操作部は、再設定手段により、印刷を確認するための一回あるいは指定回数の印刷の後に、断裁マークの採用を再度行うこととしているので、採用ミスによる無駄な印刷を防止することができる。
【００７１】
請求項３０に記載の発明によれば、前記操作部は、前記印刷範囲が前記記録媒体の大きさを越える場合に、断裁マークの形状、大きさ、位置の少なくとも一つを変更することにより前記印刷範囲を調整することとしたので、断裁マーク付き画像情報をより確実に記録媒体に印刷することができる。
【発明を実施するための最良の形態】
【００７２】
以下に添付図面を参照して、この発明にかかる画像形成装置、方法、システムを実施するための最良の形態について説明する。なお、これにより本発明が限定されるものではない。
【００７３】
まず、本実施の形態にかかる画像形成装置を含むシステム構成について説明する。本システムは、ＰＣ１０、スキャナ２０、プリンタ３０、ＬＡＮ４０および断裁機５０を含む。
【００７４】
ＰＣ１０は、パーソナルコンピュータで、ＬＡＮ４０を介して、プリンタ３０に画像情報を提供する。スキャナ２０は、画像情報の読み取り装置で、ＬＡＮ４０を介して、同じくプリンタ３０に画像情報を提供する。
【００７５】
プリンタ３０は、画像形成装置をなし、ＰＣ１０あるいはスキャナ２０から入力した画像情報を、転写紙あるいは記録紙等の記録媒体に印刷を行う。プリンタ３０は、電子写真方式あるいはインク滴の吐出を行う方式等のものが用いられる。
【００７６】
断裁機５０は、プリンタ３０から出力される印刷された記録媒体を、所定の大きさに断裁し、記録媒体の整形を行う。ここで、断裁機５０は、記録媒体上の断裁マーク（裁断マーク、トンボマークとも称する。以下、トンボマークを用いる）の位置を読み取り、この位置情報に基づいて記録媒体の断裁を行う。例えば、記録媒体の四隅に印刷された十字状のトンボマーク位置を断裁する。なお、このトンボマークは、断裁機５０の機種ごとに異なる形状のものが用いられる。また、プリンタ３０から出力された記録媒体は、オペレータによるバッチ処理で、断裁機５０に配設される。
【００７７】
ＬＡＮ４０は、通信ケーブルで、ＣＳＭＡ／ＣＤ方式等を用いて、ＰＣ１０、スキャナ２０およびプリンタ３０間で画像情報の送受信を行う。
図３は、プリンタ３０の機能的な構成を示す機能ブロック図である。プリンタ３０は、画像処理部３１、制御部３２、画像形成部３３および操作部３４を含む。画像処理部３１は、演算プロセッサ、画像メモリおよびインターフェース等からなり、インターフェースを介してＰＣ１０あるいはスキャナ２０から画像情報を入力し、この画像情報に出力の際のγ補正、ビットマップ変換等の画像処理を行う。
【００７８】
操作部３４は、ＬＣＤ（Ｌｉｑｕｉｄ  Ｃｒｙｓｔａｌ  Ｄｉｓｐｌａｙ）等の表示部、タッチパネルおよびテンキー等の入力手段を有し、印刷を行う際の各種設定を行う。なお、後述するトンボマークの設定も操作部３４から行われる。
【００７９】
制御部３２は、ＣＰＵおよびメモリ等からなり、操作部３４から設定された条件に基づいて、プリンタ３０の統括的な制御を行う。なお、制御部３２では、後述するトンボマークと入力された画像情報の合成が行われトンボマークが添付された画像情報が生成される。
【００８０】
画像形成部３３は、制御部３２からの印刷条件に基づいて、給紙トレイから記録媒体を入力し、この記録媒体上に画像情報を印刷し、出力トレイに出力する。
図１は、本実施の形態にかかる制御部３２の機能ブロック図である。制御部３２は、画像情報６０、トンボマーク情報６１、トンボマークの大きさと位置情報６２、添付手段６３およびページメモリ６４を含む。画像情報６０は、ＰＣ１０あるいはスキャナ２０から入力された画像情報に、最適な印刷を行うための画像処理が施されたものである。
【００８１】
トンボマーク情報６１は、トンボマークの基になるトンボパターンが複数個保存されている。図４は、トンボマーク情報６１に保存されるトンボパターンの例を示す図である。図４（ａ）〜（ｄ）では，矩形平面をなす画像の４つの角部に配置されるトンボパターンの１つが例示されている。図４（ａ）は、十字型のトンボパターンが２つ配置された例である。この例では、画像の辺縁部に沿って十字の交点を通る様に断裁が行われる。なお、図４（ａ）に示される２つのトンボマークは、概ね直交する２つの断裁方向の断裁位置を示しており、２つ十字マークに挟まれる矩形領域の、十字マークが存在しない角部は、一方が画像の角位置に対応し、もう一方は、断裁された記録媒体の角部に一致する。
【００８２】
図４（ｂ）は、Ｌ字型のトンボパターンが２つ配置された例である。この例では、Ｌ字の一方の辺が画像の辺縁部に沿って配置され、Ｌ字の角部を通る様に画像の辺縁部に沿って断裁が行われる。なお、図４（ｂ）に示される２つのトンボマークは、概ね直交する２つの断裁方向の断裁位置を示している。
【００８３】
図４（ｃ）は、Ｌ字型および中抜けしたＬ字型のトンボパターンが配置された例である。この例では、中抜けしたＬ字の中抜け部分に画像の角部が位置し、画像の辺縁部に沿ってＬ字の角部を通る様に断裁が行われ、Ｌ字の角部と断裁された記録媒体の角部が一致する。なお、図４（ｃ）に示されるＬ字の２辺は、概ね直交する２つの断裁方向を示している。
【００８４】
図４（ｄ）は、中抜けしたＬ字型のトンボパターンが配置された例である。この例では、中抜けしたＬ字の中抜け部分に画像の角部が位置し、中抜けしたＬ字を構成する２辺の向き合う端部が、辺縁部に沿った断裁位置を示している。
【００８５】
なお、トンボマーク情報６１は、図４（ａ）〜（ｄ）に示す様な十字型、Ｌ字型、中抜けしたＬ字型等のトンボパターン情報を有する。
大きさと位置情報６２は、トンボマークの大きさと、トンボマークの画像角部からの位置の情報を含む。トンボマークの大きさ情報としては、例えば十字あるいはＬ字を構成する直線の一辺の長さで示される。また、トンボマークの位置情報としては、例えば、十字型のトンボマークの場合には、十字の交点位置と画像角部との距離で示され、２つのＬ字型のトンボマークが配置される場合には、Ｌ字の角部と画像角部の距離で示され、中抜きされたＬ字型のトンボマークの場合には、中抜けしたＬ字を構成する２辺の向き合う端部と画像角部との距離で示される。
【００８６】
なお、操作部３４からの指示により、トンボマーク情報６１からトンボマークが選択され添付手段６３に送信される。また、同様に操作部３４からの指示により、トンボマークの大きさと位置情報６２が設定され添付手段６３に送信される。
【００８７】
ページメモリ６４は、画像形成部３３に出力される画像情報を記憶するメモリで、このメモリの内容が印刷出力情報を形成し、操作部３４から指定される記録媒体サイズに合わせて印刷される。従って、印刷出力範囲は、ページメモリ６４の大きさと一致し、記録媒体サイズとも一致する。また、制御部３２内部でページメモリ６４の内容を保存する場合には、ページメモリ６４の内容は適宜画像圧縮され、さらに必要に応じて画像解凍が行われ印刷に供される。
【００８８】
添付手段６３は、画像情報６０、トンボマーク情報６１およびトンボマークの大きさと位置情報６２に基づいて、画像情報６０にトンボマークを添付し、ページメモリ６４に格納する。図５は、添付手段６３による、トンボマークの添付動作を模式的に示した図である。画像情報６０は、印刷出力範囲を示すページメモリ６４の中心近傍の所定位置に配置される。トンボマークは、操作部３４から指定されたトンボマーク情報６１およびトンボマークの大きさおよび位置情報６２に基づいて、トンボマークの大きさおよび画像の４つの角部からの位置を確定する。そして、添付手段６３は、このトンボマークを、ページメモリ６４上の画像に存在する４つの角部に、向き、大きさおよび位置を最適化して配置する。
【００８９】
ここで、添付手段６３は、ページメモリ６４上に配置される画像情報６０およびトンボマークを囲む最小の矩形領域である印画範囲を確定し、この印画範囲の周辺部に所定幅の余白を持った印刷範囲を算定する。その後、添付手段６３は、この印刷範囲が、記録媒体サイズと一致するページメモリ６４の印刷出力範囲を越えて存在する場合には、ページメモリ６４への書込みを中止し、警告信号を操作部３４に送信する。そして、操作部３４は、この警告信号を受けて表示部に警告表示を行う。
【００９０】
なお、添付手段６３は、トンボマークの大きさと位置情報６２に基づいて余白の幅を変更する変更手段を有する。この変更手段は、選択されたトンボマークが大きい場合に、余白も大きなものとし、断裁機５０による断裁が適切に行われる様にする。なお、トンボマークの大きさと余白の幅の具体的な関係は、経験および実験的に決定される。
【００９１】
つづいて、制御部３２を中心とするプリンタ３０の動作を、図６および図７のフローチャートを用いて説明する。図６および図７は、プリンタ３０の動作を示すフローチャートである。まず、オペレータは、操作部３４のキー操作等によりトンボマークの印刷を指示する（ステップＳ６０１）。ここで、制御部３２は、操作部３４から入力される記録媒体サイズが、画像情報６０のヘッダー等の属性情報による画像サイズ以上かどうかを判定する（ステップＳ６０２）。
【００９２】
図８は、操作部３４の表示部に表示される表示画面の例である。表示画面上部には、制御部３２の状態あるいはユーザーのアクションを示すコメントが表示され、左下部には、画像情報６０を除去する第１指定手段であるクリア釦およびトンボ印字を行うかどうかを選択するトンボ印字釦、あるいは、トンボパターンの選択画面が配置され、また右下部には、判定の基になる記録媒体サイズおよび画像サイズ、あるいは、第２指定手段であるトンボマークの大きさおよび位置情報の入力画面が表示される。
【００９３】
ここで、制御部３２は、記録媒体サイズが、画像サイズより小さい場合には（ステップＳ６０２否定）、すべての画像情報を印刷が出来ないので、添付手段６３からの警告信号に基づいて、ページメモリ６４への書込みを中止して表示部に印刷不可の表示を行い（ステップＳ６１５）、本処理を終了する。
【００９４】
なお、ステップＳ６１５が実行された場合には、図８（ａ）に示す様に、画面上部のコメント欄に、画像サイズが大きくトンボ印字が行えない旨の表示を行う。そして、左下部のトンボ印字釦は、使用不可を示すマスク状態とされる。また、右下部には、画像サイズおよび記録媒体である転写紙サイズが共にＡ４サイズである旨が表示される。
【００９５】
また、制御部３２は、記録媒体サイズが、画像サイズより小さい場合には（ステップＳ６０２肯定）、操作部３４の表示部にトンボマーク印字可能を表示する（ステップＳ６０３）。図８（ｂ）は、この場合の表示部の画面の例である。画面上部のコメント欄に、トンボ印字が可能である旨の表示を行う。そして、左下部のトンボ印字釦は、使用可の状態とされる。また、右下部には、画像サイズがＡ４、転写紙サイズがＡ４Ｗである旨が表示される。
【００９６】
その後、オペレータは、トンボ印字釦を選択し（ステップＳ６０４）、トンボマークの形状を現すトンボパターン、この大きさおよびトンボマークの位置を、操作部３４から入力する（ステップＳ６０５）。
【００９７】
図８（ｃ）は、第２指定手段であるこの場合の表示画面の例である。画面上部のコメント欄に、トンボ種類を選択する旨の表示を行う。そして、左下部には、選択可能なトンボパターンが示され、右下部には、トンボマークの大きさを示す線長さおよび画像角部からのトンボマークの距離を示す画像距離の入力画面が表示される。そして、テンキー等を用いて線長さおよび画像距離が入力される。なお、ここで、トンボマークの形状および大きさは、断裁機５０が読み取り可能な様に設定される。
【００９８】
その後、制御部３２の添付手段６３は、記録媒体サイズが、トンボマークが添付された画像情報６０の印刷範囲に等しいかあるいはより大きいかを判定する（ステップＳ６０６）。ここで、添付手段６３は、記録媒体サイズが、トンボマークが添付された画像情報６０の印刷範囲に等しいかあるいはより大きい場合には（ステップＳ６０６肯定）、すべての画像情報を印刷できるので、ページメモリ６４を生成する（ステップＳ６０７）。
【００９９】
その後、制御部３２は、操作部３４のオペレータによるキー操作等から、確認出力を行うかどうかを判定し（ステップＳ６０８）、確認出力を行う場合には（ステップＳ６０８肯定）、確認出力を行う（ステップＳ６０９、図７）。そして、オペレータは、記録媒体上の画像情報を確認し、想定通りかどうかを判定する（ステップＳ６１０）。そして、オペレータは、想定通りである場合には（ステップＳ６１０肯定）、印刷を行い（ステップＳ６１１）、本処理を終了する。また、想定通りでない場合には（ステップＳ６１０否定）、操作部３４のオペレータによるキー操作等により、ステップＳ６０５に移行し再度トンボマークの形状およびサイズを入力する。なお、ステップＳ６０５に移行するキー操作等は、再設定手段をなす。
【０１００】
また、制御部３２は、確認出力を行わない場合には（ステップＳ６０８否定）、ステップＳ６１１に移行し印刷を行い、本処理を終了する。
また、制御部３２は、記録媒体サイズがトンボマークが添付された画像情報６０の印刷範囲より小さい場合には（ステップＳ６０６否定）、表示部に印刷不可表示を行う（ステップＳ６１２）。例えば、図８（ａ）に示すのと同様の表示画面を用いて、画面上部のコメント欄に、トンボマークが添付された画像サイズが大きくトンボ印字が行えない旨の表示を行う。
【０１０１】
その後、オペレータは、トンボマークが添付された画像情報６０を強制出力するかあるいはクリアするかを選択する（ステップＳ６１３）。そして、オペレータが第１指定手段であるクリア釦を選択した場合には（ステップＳ６１４肯定、図７）、そのまま本処理を終了し、クリア釦が選択されない場合には（ステップＳ６１４否定、図７）、強制出力として、ステップＳ６１１の印刷を行い、本処理を終了する。
【０１０２】
上述してきたように、本実施の形態では、プリンタ３０は、断裁機が読み取り可能なトンボマーク情報６１を、添付手段６３を用いて画像情報６０に指定された形状、大きさおよび位置で添付し、さらにトンボマークが添付された画像情報６０の印刷範囲が、ページメモリ６４の大きさである印刷出力範囲あるいは記録媒体サイズを超える際には警告を発し印刷の中止を行うこととしているので、断裁機でのトンボマークの読み取りミスを防止し断裁機からの記録媒体の不良出力を軽減し、印刷効率を向上することができる。
【０１０３】
図９は、制御部３２を中心としたプリンタ３０の動作の、別の実施の形態を示すフローチャートである。図９のフローチャートは図６、図７のフローチャートと近似しており、同様の処理ステップについては同じステップ番号を付している。例えば、図９における処理ステップＳ６０１〜Ｓ６０４は、図６における処理ステップＳ６０１〜Ｓ６０４と同じである。
【０１０４】
トンボ印字釦を選択した後（ステップＳ６０４）、オペレータはトンボマークの形状を現すトンボパターンを操作部３４から入力する（ステップＳ９０５）。また、ステップＳ９０５−ｂ〜ステップＳ９０５−ｄにおいて、トンボマークの大きさおよびトンボマークの位置のうち一方或いは両方が入力されたかを判断する。
【０１０５】
トンボマークの大きさ及び位置のうち大きさのみ入力があった場合（ステップＳ９０５−ａ肯定、ステップＳ９０５−ｃ否定）、画像サイズを参照してトンボマークの位置が自動算出される。また、トンボマークの大きさ及び位置のうち位置のみ入力があった場合（ステップＳ９０５−ａ否定、ステップＳ９０５−ｂ肯定）、画像サイズを参照してトンボマークの大きさが自動算出される。例えば、トンボマークの大きさのみが入力され、図５に示すように記録媒体の８箇所にトンボマークの印刷が行われる場合、下式によってトンボマークの位置は自動的に算出される。
【０１０６】
（画像情報６０とトンボマーク情報６１と余白量）
＝（記録媒体サイズ幅−画像サイズ幅−トンボパターン幅）／２
トンボマークの大きさ或いは位置が自動算出される場合、記録媒体のサイズがトンバマークが添付された画像情報６０の印刷範囲に等しい或いはより大きいため、換言するに、記録媒体のサイズがトンバマークが添付された画像情報６０の印刷範囲に等しい或いはより大きくなるようにトンボマークの大きさ或いは位置が自動算出されるため、すべての画像情報を印刷でき、ページメモリ６４を生成する（ステップＳ６０７）。そして、画像情報を印刷し（ステップＳ６１１）、本処理を終了する。
【０１０７】
尚、上記式により「画像情報６０とトンボマーク情報６１と余白量」の算出結果が負の値となることが避けられない場合、オペレータにトンボマークの大きさの再入力或いはトンボマークの位置入力を施すようにすればよい。
【０１０８】
一方、ステップＳ９０５−ｃにて肯定の場合、図６の処理と同様に、制御部３２の添付手段６３は、記録媒体のサイズがトンバマークが添付された画像情報６０の印刷範囲に等しい或いはより大きいかそうでないかを判定する（ステップＳ６０６）。
【０１０９】
ステップＳ６０６が否定の場合、制御部３２は「オートレイアウト」、「再入力」、「強制出力」、「クリア」の選択キーを表示する（ステップＳ９０７）。そして、オペレータによるいずれかのキーの選択に従い、以下の動作を行う。
【０１１０】
即ち、「オートレイアウト」が選択された場合、ステップＳ９０８に進み、トンボマーク位置を優先させてトンボマークの大きさを縮小するもしくは、トンボマークの一部をカットする処理が行われる。トンボマークの縮小については、縦横を均等に縮小しても良く、縦横のうち、印刷範囲からはみ出る方向についてのみ縮小するようにしても良い。また、トンボマークの一部をカットすることについては、十字トンボ或いはＬ字トンボの交点に対して、印刷範囲からはみ出る方のラインの長さを短くするようにカットすればよい。さらには、印刷範囲からはみ出る方のラインの長さを短くするためには、カットに代えて、この部分についてのみ変倍するようにしてもよい。この後、ステップＳ６０７にてページメモリ内に画像情報が展開され、プリンタ３０による印刷が実行される（ステップＳ６１１）。
【０１１１】
オートレイアウトにおいて、トンボマークの大きさ変更だけでは記録媒体サイズ内に収まらない場合、トンボマークの位置も変更する。
「再入力」が選択された場合、ステップＳ９０５−ｂに戻る処理を行い、トンボマークの大きさ及び位置のうち少なくとも一方の再入力をオペレータに施す。「強制出力」が選択された場合、記録媒体サイズ内で画像情報が中心に位置するようセンタリング処理が施され、最終画像の上下或いは左右をカットした画像を印刷出力する（ステップＳ９０９、Ｓ９１０、Ｓ６１１）。一方、「クリア」が選択された場合、対象ジョブがキャンセルされる。
【０１１２】
上記の何れの実施の形態においてもトンボマークを十字型およびＬ字型としたが、断裁機５０の読み取りマークに一致するものであれば、点あるいは固有のマーク等にすることもでき、特に限定されない。
【０１１３】
また、本実施の形態では、添付手段６３は、制御部３２に存在するとしたが、画像処理部３１あるいは画像形成部３３とすることもできる。
【図面の簡単な説明】
【０１１４】
【図１】実施の形態にかかる制御部の機能的な構成を示す機能ブロック図である。
【図２】プリンタを中心とするシステム構成を示す図である。
【図３】プリンタの構成を示すブロック図である。
【図４】実施の形態で用いられるトンボマークの例を示す図である。
【図５】添付手段の添付動作を示す模式図である。
【図６】実施の形態にかかるプリンタの動作を示すフローチャートである（その１）。
【図７】実施の形態にかかるプリンタの動作を示すフローチャートである（その２）。
【図８】実施の形態にかかる操作部の表示画面の例を示す図である。
【図９】他の実施の形態にかかるプリンタの動作を示すフローチャートである。
【符号の説明】
【０１１５】
１０  ＰＣ
２０  スキャナ
３０  プリンタ
３１  画像処理部
３２  制御部
３３  画像形成部
３４  操作部
５０  断裁機
６０  画像情報
６１  トンボマーク情報
６２  大きさと位置情報
６３  添付手段
６４  ページメモリ
【図１】
2006027259.tif 000003
【図２】
2006027259.tif 000004
【図３】
2006027259.tif 000005
【図４】
2006027259.tif 000006
【図５】
2006027259.tif 000007
【図６】
2006027259.tif 000008
【図７】
2006027259.tif 000009
【図８】
2006027259.tif 000010
【図９】
2006027259.tif 000011